(57)【要約】【課題】商用電源から得た動作用の直流電源を有する炊飯器において、電源電圧低下時に正しく回路動作を行い、回路素子に対して負荷を与えない炊飯器を提供する。【解決手段】上面が開口した炊飯器本体２内に内鍋１を着脱自在に収納し、内鍋１を加熱コイル３により誘導加熱し、スイッチング素子８、共振コンデンサ７、平滑回路６を有するインバータ回路９により商用電源５を整流して得られる単方向電源４を高周波電力に変換する。スイッチング素子８を駆動する駆動手段１０を制御手段１１により制御することにより炊飯時や保温時等の誘導加熱を制御する。回路各部に電源回路２０より動作電流を供給し、商用電源５の電圧を検知する電圧検知手段２１が検知する検知電圧が一定電圧以下のとき、第一の停止手段２２により誘導加熱を停止するよう構成する。【選択図】図１
2007289304.tif 000002
【特許請求の範囲】
【請求項１】
上面が開口した炊飯器本体と、前記炊飯器本体内に着脱自在に収納される内鍋と、前記内鍋を誘導加熱する加熱コイルと、商用電源を整流して得られる単方向電源と、スイッチング素子、共振コンデンサ、平滑回路を有し前記単方向電源を高周波電力に変換するインバータ回路と、前記スイッチング素子を駆動する駆動手段と、前記駆動手段を制御することにより炊飯時や保温時等の誘導加熱を制御する制御手段と、回路各部に動作電流を供給する電源回路と、商用電源の電圧を検知する電圧検知手段と、前記電圧検知手段が検知する検知電圧が一定電圧以下のとき誘導加熱を停止する第一の停止手段とを備えた炊飯器。
【請求項２】
電源回路からの供給時にのみ正常動作を行う第一の入力手段を有し、第一の停止手段に代えて、電圧検知手段が検知する検知電圧が一定電圧以下のとき前記第一の入力手段から前記制御手段への入力を禁止する第二の停止手段を備えた請求項１記載の炊飯器。
【請求項３】
第一の停止手段に代えて、電圧検知手段が検知する検知電圧が一定電圧になってから、一定時間、誘導加熱を停止する第三の停止手段を備えた請求項１記載の炊飯器。
【請求項４】
第二の停止手段に代えて、電圧検知手段が検知する検知電圧が一定電圧になってから一定時間、第一の入力手段から制御手段への入力を禁止する第四の停止手段を備えた請求項２記載の炊飯器。
【請求項５】
第二の停止手段に代えて、第一の入力手段の出力と電圧検知手段からの出力をもとに演算を行って結果を出力する演算手段と、前記演算手段からの出力により入力補正を行う第二の入力手段とを備えた請求項２記載の炊飯器。
【請求項６】
電源回路からの供給時にのみ正常動作を行う第一の入力手段と、前記第一の入力手段の出力と電圧検知手段からの出力をもとに演算を行って結果を出力する演算手段とを有し、第一の停止手段に代えて、前記演算手段の出力により誘導加熱を停止する第五の停止手段を備えた請求項１記載の炊飯器。
【発明の詳細な説明】
【技術分野】
【０００１】
本発明は、商用電源から得た動作用の直流電源を有する炊飯器に関するものである。
【背景技術】
【０００２】
一般に、家電商品においては商用電源から動作用の直流電源を作っており、近年、電源ＩＣなどの１チップにより省スペースで直流電源回路ができるようになってきている。また、電源切換による省エネなども行われてきている（例えば、特許文献１参照）。
【０００３】
図９は、従来の炊飯器のブロック図である。図９において、内鍋１は炊飯器本体２内に設置されており、この内鍋１は加熱コイル３により誘導加熱される。単方向電源４は商用電源５より供給する交流を整流したものである。単方向電源４をもとに平滑コンデンサ６、共振コンデンサ７、スイッチング素子８よりなるインバータ回路９により誘導加熱のための高周波電力を発生させる。駆動手段１０はインバータ回路８を駆動させる。制御手段１１により炊飯や保温時に駆動手段１０を制御することにより、内鍋１内の調理物を加熱して調理を行う。電源回路１２は商用電源５から電源が供給され、回路動作用の電源を発生させている。駆動手段１０の電源は電源回路１２から供給されており、炊飯や保温を行わない待機時には加熱を行わないので、電源停止手段１３によって駆動手段１０への電源供給を停止し、待機時の消費電力を低減するようにしている。
【特許文献１】特開２０００−２８７８３７号公報
【発明の開示】
【発明が解決しようとする課題】
【０００４】
しかしながら、このような従来の構成では、商用電源５の交流電圧の低いときや停電のときの電圧降下時に電源電圧が不安定になって、入力の誤検知や誘導加熱が不安定になって回路素子に負荷がかかるといった問題があった。
【０００５】
本発明は上記従来の課題を解決するもので、電源電圧低下時に正しく回路動作を行い、回路素子に対して負荷を与えない炊飯器を提供することを目的としている。
【課題を解決するための手段】
【０００６】
本発明は上記目的を達成するために、上面が開口した炊飯器本体内に内鍋を着脱自在に収納し、内鍋を加熱コイルにより誘導加熱し、スイッチング素子、共振コンデンサ、平滑回路を有するインバータ回路により商用電源を整流して得られる単方向電源を高周波電力に変換し、スイッチング素子を駆動する駆動手段を制御手段により制御することにより炊飯時や保温時等の誘導加熱を制御し、回路各部に電源回路より動作電流を供給し、商用電源の電圧を検知する電圧検知手段が検知する検知電圧が一定電圧以下のとき、第一の停止手段により誘導加熱を停止するよう構成したものである。
【０００７】
これにより、商用電源の電圧降下時や停電時等の商用電源の交流電圧が低いことによる電源電圧不安定時には誘導加熱を禁止することができ、正しく回路動作を行い、回路素子に対して過負荷を与えないようにできる。
【発明の効果】
【０００８】
本発明の炊飯器は、停電や急な電圧降下時にも正しく回路動作を行い、回路素子に対しても負荷を与えないようにできる。
【発明を実施するための最良の形態】
【０００９】
第１の発明は、上面が開口した炊飯器本体と、前記炊飯器本体内に着脱自在に収納される内鍋と、前記内鍋を誘導加熱する加熱コイルと、商用電源を整流して得られる単方向電源と、スイッチング素子、共振コンデンサ、平滑回路を有し前記単方向電源を高周波電力に変換するインバータ回路と、前記スイッチング素子を駆動する駆動手段と、前記駆動手段を制御することにより炊飯時や保温時等の誘導加熱を制御する制御手段と、回路各部に動作電流を供給する電源回路と、商用電源の電圧を検知する電圧検知手段と、前記電圧検知手段が検知する検知電圧が一定電圧以下のとき誘導加熱を停止する第一の停止手段を備えたものであり、商用電源の電圧降下時や停電時等の商用電源の交流電圧が低いことによる電源電圧不安定時には誘導加熱を禁止することができ、正しく回路動作を行い、回路素子に対して過負荷を与えないようにできる。
【００１０】
第２の発明は、上記第１の発明において、電源回路からの供給時にのみ正常動作を行う第一の入力手段を有し、第一の停止手段に代えて、電圧検知手段が検知する検知電圧が一定電圧以下のとき前記第一の入力手段から前記制御手段への入力を禁止する第二の停止手段を備えたものであり、商用電源の交流電圧が低いことにより電源電圧が不安定なことによる誤入力を防止することができる。
【００１１】
第３の発明は、上記第１の発明において、第一の停止手段に代えて、電圧検知手段が検知する検知電圧が一定電圧になってから、一定時間、誘導加熱を停止する第三の停止手段を備えたものであり、商用電源の交流電圧がある一定電圧になってもレベルが安定するまでは一定時間、誘導加熱を禁止することにより、電圧が不安定な間の誘導加熱を禁止することができ、正しく回路動作を行い、回路素子に対して過負荷を与えないようにできる。
【００１２】
第４の発明は、上記第２の発明において、第二の停止手段に代えて、電圧検知手段が検知する検知電圧が一定電圧になってから一定時間、第一の入力手段から制御手段への入力を禁止する第四の停止手段を備えたものであり、商用電源の交流電圧がある一定電圧になってもレベルが安定するまでは一定時間、第一の入力手段からの入力を禁止することにより、電圧が不安定な間の入力を禁止することができ、誤入力を防止することができる。
【００１３】
第５の発明は、上記第２の発明において、第二の停止手段に代えて、第一の入力手段の出力と電圧検知手段からの出力をもとに演算を行って結果を出力する演算手段と、前記演算手段からの出力により入力補正を行う第二の入力手段とを備えたものであり、演算手段からの出力をもとにした第二の入力手段から入力を行うことにより、電源電圧にかかわらず安定した入力を得ることができる。
【００１４】
第６の発明は、上記第１の発明において、電源回路からの供給時にのみ正常動作を行う第一の入力手段と、前記第一の入力手段の出力と電圧検知手段からの出力をもとに演算を行って結果を出力する演算手段とを有し、第一の停止手段に代えて、前記演算手段の出力により誘導加熱を停止する第五の停止手段を備えたものであり、電源電圧が安定した状態で誘導加熱を行うことができる。
【００１５】
以下、本発明の実施の形態について、図面を参照しながら説明する。なお、この実施の形態によって本発明が限定されるものではない。
【００１６】
（実施の形態１）
図１は本発明の実施の形態１の炊飯器のブロック図を示し、図２は同炊飯器の断面図を示し、図３は同炊飯器の一部ブロック化した回路図を示すものである。
【００１７】
図１および図２に示すように、内鍋１は炊飯器本体２内に着脱自在に収納されており、この内鍋１は加熱コイル３により誘導加熱される。商用電源５はコンセント２３によって供給され、単方向電源４は商用電源５より供給する交流電圧を整流して得たものである。この単方向電源４をもとに平滑コンデンサ６、共振コンデンサ７、スイッチング素子８よりなるインバータ回路９が誘導加熱のための高周波電力を発生させる。駆動手段１０はインバータ回路９を構成するスイッチング素子８を駆動するものである。制御手段１１は炊飯や保温時に駆動手段１０を制御し、誘導加熱を制御するもので、このことにより、内鍋１内の調理物を加熱して調理を行うようにしている。
【００１８】
電源回路２０は、商用電源５から供給される電源によって回路駆動用の直流電圧を発生させる。電圧検知手段２１は商用電源５の交流電圧を検知している。第一の停止手段２２は。その出力を制御手段１１に入力し、電圧検知手段２１が検知する検知電圧が一定電圧以下のとき誘導加熱を停止するようにしている。なお、図２における回路基板２４が各種制御を行うものである。
【００１９】
上記構成において動作を説明する。第一の停止手段２２は電圧検知手段２１が検知している商用電源５の電圧が、電源回路２０が駆動手段１０のインバータ回路９を確実に駆動できる電圧を作るのに必要な交流電圧になるまでは誘導加熱を禁止する。このことにより、停電や急な電圧降下などによる電源回路２０の過渡的な電圧変化に伴う回路の誤動作や回路素子にかかる過負荷を防止することができる。
【００２０】
この点の詳細を図３を参照しながら説明する。マイクロコンピュータ２５は制御手段１１、第一の停止手段２２を構成するものであり、電源ＩＣ２６は電源回路２０を構成するものである。電源ＩＣ２６は商用電源５から交流電圧を供給され、マイクロコンピュータ２５などに駆動用電圧Ｖ１を供給し、駆動手段１０を構成するＩＨ制御ＩＣ２７、ドライブＩＣ２８に駆動用電圧Ｖ２を供給している。この場合、ＩＨ制御ＩＣ２７やドライブＩＣ２８の方が高電圧を必要とするので、Ｖ２＞Ｖ１となっている。それゆえ、停電復帰時等の電圧上昇時には電源ＩＣ２６の出力によっては、ＩＨ制御ＩＣ２７やドライブＩＣ２８は正常動作できないが、その他の回路は正常動作するといった場合がある。
【００２１】
トランジスタ２９には商用電源５からの交流電圧の分圧が入力されており、トランジスタ２９はエミッタフォロワとして働いて、商用電源５の交流電圧の分圧された値をマイクロコンピュータ２５に入力している。マイクロコンピュータ２５がトランジスタ２９からの入力を見て、電源ＩＣ２６の作る電圧Ｖ２が前記ＩＨ制御ＩＣ２７、ドライブＩＣ２８を確実に駆動できる電圧を作るのに必要な交流電圧になっていると判断するまでは、誘導加熱を禁止することにより、停電や急な電圧降下などの過渡的な電圧変化に伴うＩＨ制御ＩＣ２７、ドライブＩＣ２８の誤動作や回路素子にかかる過負荷を防止することができる。
【００２２】
以上のように、本実施の形態においては、電圧検知手段２１が検知する検知電圧が一定電圧以下のとき誘導加熱を停止する第一の停止手段２２を備えたので、商用電源５の電圧降下時や停電時等の商用電源５の交流電圧が低いことによる電源電圧不安定時には誘導加熱を禁止することができ、正しく回路動作を行い、回路素子に対して過負荷を与えないようにできる。
【００２３】
（実施の形態２）
図４は、本発明の実施の形態２の炊飯器のブロック図を示すものである。
【００２４】
図４に示すように、第一の入力手段３０は電源回路２０より動作電圧を供給され、電源回路２０からの供給時にのみ正常動作を行うようにしている。第二の停止手段３１は電圧検知手段２１が検知する検知電圧が一定電圧以下のとき、第一の入力手段３０から制御手段１１への入力を禁止するようにしている。他の構成は上記実施の形態１と同じであり、同一符号を付して説明を省略する。
【００２５】
上記構成において動作を説明する。電圧検知手段２１が検知する検知電圧、すなわち商用電源５の電圧値が、電源回路２０が第一の入力手段３０の確実に動作できる電圧を作るのに必要な交流電圧になるまでは入力を停止することにより、停電や電圧降下などの過渡的な電圧変化による電源回路２０の出力電圧降下に伴う誤入力を防止することができる。
【００２６】
以上のように、本実施の形態においては、電源回路２０からの供給時にのみ正常動作を行う第一の入力手段３０を有し、電圧検知手段２１が検知する検知電圧が一定電圧以下のとき第一の入力手段３０から制御手段１１への入力を禁止する第二の停止手段３１を備えたので、商用電源５の交流電圧が低いことにより電源電圧が不安定なことによる誤入力を防止することができる。
【００２７】
（実施の形態３）
図５は本発明の実施の形態３の炊飯器のブロック図を示すものである。
【００２８】
図５に示すように、第三の停止手段４０は、電圧検知手段２１が検知する検知電圧が一定電圧になってから、一定時間、誘導加熱を停止するようにしている。他の構成は上記実施の形態１と同じであり、同一符号を付して説明を省略する。
【００２９】
上記構成において動作を説明する。第三の停止手段４０は電圧検知手段２１が検知している商用電源５の電圧が、電源回路２０が駆動手段１０のインバータ回路９を確実に駆動できる電圧を作るのに必要な交流電圧になった後、一定時間の間は誘導加熱を禁止することにより、ノイズなどによる電源のふらつきの影響をなくすことができ、停電時や急な電圧降下などによる電源回路２０の過渡的な電圧変化に伴う回路の誤動作や回路素子にかかる過負荷を防止することができる。
【００３０】
以上のように、本実施の形態においては、電圧検知手段２１が検知する検知電圧が一定電圧になってから、一定時間、誘導加熱を停止する第三の停止手段４０を備えたので、商用電源５の交流電圧がある一定電圧になってもレベルが安定するまでは一定時間、誘導加熱を禁止することにより、電圧が不安定な間の誘導加熱を禁止することができ、正しく回路動作を行い、回路素子に対して過負荷を与えないようにできる。
【００３１】
（実施の形態４）
図６は本発明の実施の形態４の炊飯器のブロック図を示すものである。
【００３２】
図６に示すように、第四の停止手段５０は、電圧検知手段２１が検知する検知電圧が一定電圧になってから一定時間、第一の入力手段３０から制御手段１１への入力を禁止するようにしている。他の構成は上記実施の形態２と同じであり、同一符号を付して説明を省略する。
【００３３】
上記構成において動作を説明する。第四の停止手段５０は、電圧検知手段２１が検知している商用電源５の電圧が、電源回路２０が前記第一の入力手段３０の確実に動作できる電圧を作るのに必要な交流電圧になった後、一定時間の間は入力を禁止することにより、ノイズなどによる電源のふらつきの影響をなくすことができ、停電や電圧降下などの過渡的な電圧変化による電源回路２０の出力電圧降下に伴う誤入力を防止することができる。
【００３４】
以上のように、本実施の形態においては、電圧検知手段２１が検知する検知電圧が一定電圧になってから一定時間、第一の入力手段３０から制御手段１１への入力を禁止する第四の停止手段５０を備えたので、商用電源５の交流電圧がある一定電圧になってもレベルが安定するまでは一定時間、第一の入力手段３０からの入力を禁止することにより、電圧が不安定な間の入力を禁止することができ、誤入力を防止することができる。
【００３５】
（実施の形態５）
図７は本発明の実施の形態５の炊飯器のブロック図を示すものである。
【００３６】
図７に示すように、演算手段６０は、第一の入力手段３０の出力と電圧検知手段２１からの出力をもとに演算を行って結果を出力する。第二の入力手段６１は、演算手段６０からの出力により入力補正を行うようにしている。他の構成は上記実施の形態２と同じであり、同一符号を付して説明を省略する。
【００３７】
上記構成において動作を説明する。演算手段６０は電圧検知手段２１からの出力と第一の入力手段３０の出力の２つの値で演算を行う。その結果によって第二の入力手段６１は、電源回路２０が第一の入力手段３０の確実に動作できる電圧を作るのに必要な交流電圧になり、かつ、第一の入力手段３０の出力値が正常値の時のみ、制御手段１１に正常値を出力し、それ以外のときは異常値を出力することにより、停電や電圧降下などの過渡的な電圧変化による電源回路２０の出力電圧降下に伴う誤入力を防止することができる。
【００３８】
なお、演算手段６０は、マイクロコンピュータによる演算だけでなく、論理素子による論理計算などでも実現可能である。
【００３９】
以上のように、本実施の形態においては、第一の入力手段３０の出力と電圧検知手段２１からの出力をもとに演算を行って結果を出力する演算手段６０と、演算手段６０からの出力により入力補正を行う第二の入力手段６１とを備えたので、演算手段６０からの出力をもとにした第二の入力手段６１から入力を行うことにより、電源電圧にかかわらず安定した入力を得ることができる。
【００４０】
（実施の形態６）
図８は本発明の実施の形態６の炊飯器のブロック図を示すものである。
【００４１】
図８に示すように、演算手段６０は、第一の入力手段３０の出力と電圧検知手段２１からの出力をもとに演算を行って結果を出力する。第五の停止手段７０は、演算手段６０の出力により誘導加熱を停止するようにしている。他の構成は上記実施の形態１と同じであり、同一符号を付して説明を省略する。
【００４２】
上記構成において動作を説明する。演算手段６０は電圧検知手段２１からの出力と第一の入力手段３０の出力の２つの値で演算を行う。その結果によって第五の停止手段７０は電源回路２０が駆動手段１０のインバータ回路９を確実に駆動できる電圧を作るのに必要な交流電圧になり、かつ、第一の入力手段３０の出力値が正常値の時のみ、制御手段１１に正常値を出力し、それ以外のときは異常値を出力することにより、停電や電圧降下などの過渡的な電圧変化による電源回路２０の出力電圧降下に伴う回路の誤動作や回路素子にかかる過負荷を防止することができる。
【００４３】
以上のように、本実施の形態においては、第一の入力手段３０の出力と電圧検知手段２１からの出力をもとに演算を行って結果を出力する演算手段６０の出力により誘導加熱を停止する第五の停止手段７０を備えたので、電源電圧が安定した状態で誘導加熱を行うことができる。
【産業上の利用可能性】
【００４４】
以上のように、本発明にかかる炊飯器は、停電や急な電圧降下時にも正しく回路動作を行い、回路素子に対しても負荷を与えないようにできるので、商用電源から得た動作用の直流電源を有する炊飯器として有用である。
【図面の簡単な説明】
【００４５】
【図１】本発明の実施の形態１の炊飯器のブロック図
【図２】同炊飯器の断面図
【図３】同炊飯器の一部ブロック化した回路図
【図４】本発明の実施の形態２の炊飯器のブロック図
【図５】本発明の実施の形態３の炊飯器のブロック図
【図６】本発明の実施の形態４の炊飯器のブロック図
【図７】本発明の実施の形態５の炊飯器のブロック図
【図８】本発明の実施の形態６の炊飯器のブロック図
【図９】従来の炊飯器のブロック図
【符号の説明】
【００４６】
１  内鍋
２  炊飯器本体
３  加熱コイル
４  単方向電源
５  商用電源
６  平滑回路
７  共振コンデンサ
８  スイッチング素子
９  インバータ回路
１０  駆動手段
１１  制御手段
２０  電源回路
２１  電圧検知手段
２２  第一の停止手段
【図１】
2007289304.tif 000003
【図２】
2007289304.tif 000004
【図３】
2007289304.tif 000005
【図４】
2007289304.tif 000006
【図５】
2007289304.tif 000007
【図６】
2007289304.tif 000008
【図７】
2007289304.tif 000009
【図８】
2007289304.tif 000010
【図９】
2007289304.tif 000011